(57)【要約】      （修正有）【課題】歯ブラシ消毒ケースを提供する。【解決手段】歯ブラシ消毒ケースは、外殻１０を含み、歯ブラシを入り口１１に通して空チャンバの中に差し込み、洗浄チャンバの中に入らせ、洗浄チャンバの中の水を排出して引続き清水を加えてすすぎ、すすぎ終わった後、紫外線灯が始動して殺菌し始める。三つの歯ブラシを同時に洗浄でき、家庭使用ニーズを満足でき、まずは超音波の作用によって歯ブラシの不純物を水の中に振動させて排出し、その後紫外線を使って殺菌消毒し、歯ブラシの清潔を保証でき、圧力計が信号を発送でき、すべての洗浄チャンバの中の水の添加と排出と、殺菌消毒を制御し、資源を無駄使いさせなく、歯ブラシが挟まれた後少しの距離を上げられ、底部の不純物を歯ブラシに付着させない。【選択図】図１
2020179093.tif 000002
【特許請求の範囲】
【請求項１】
歯ブラシ消毒ケースであって、外殻を含み、前記外殻の中には三つの等間隔の空チャンバが設置され、前記空チャンバの頂壁には上に開口した入り口が設置され、前記空チャンバの下方には洗浄チャンバが設置され、前記洗浄チャンバと前記空チャンバとの間には通路口が連通して設置され、前記洗浄チャンバの中には歯ブラシを洗浄消毒する消毒洗浄機構が設置され、前記外殻の中には前記洗浄チャンバの進水又は排水を制御する進出水機構が設置され、前記進出水機構はポンプ及び廃水を収集する廃液箱を含み、前記空チャンバの中には挟み装置が設置され、前記挟み装置は前記歯ブラシを挟める移動ブロックと、固定ブロックと、移動できる連結ブロックと、前記歯ブラシを上ヘ移動できる斜面台とを含み、前記挟み装置の後側には前記連結ブロックの移動を制御する駆動装置が設置されていることを特徴とする歯ブラシ消毒ケース。
【請求項２】
前記挟み装置は前記空チャンバの左側に位置した移動チャンバを含み、前記連結ブロックが前記移動チャンバの上下壁の間にスライドできるように取り付けられ、前記斜面台が前記移動チャンバの右側の底壁に設置され、前記移動チャンバの上下壁の中には其々に位置制限溝が設置され、前記移動チャンバの上下壁の間には推しブロックがスライドできるように取り付けられ、前記推しブロックの上下端面には前記位置制限溝とスライドできるように連結された位置制限ブロックが設置され、前記推しブロックの右側端面には前記連結ブロックとスライドできるように連結されたＴ型ブロックが固定的に取り付けられ、前記移動ブロックが前記連結ブロックの左側端面に固定的に取り付けられ、前記空チャンバの右側には信号チャンバが設置され、前記信号チャンバの底壁の突起部分には連結ヘッドが設置され、前記信号チャンバの上下壁の間には推し板がスライドできるように取り付けられ、前記連結ヘッドの右側端面には前記推し板とスライドできるように連結されたＴ型スライダが設置され、前記固定ブロックが前記連結ヘッドの左側端面に固定的に取り付けられ、前記固定ブロックと前記移動ブロックとは大きさが一致した半環状体であり、前記移動ブロックと前記固定ブロックとの相対した面には其々にゴムブロックが固定的に取り付けられ、前記信号チャンバの右側壁の中には圧力計が固定的に取り付けられ、前記圧力計の左側端面には押し板が固定的に取り付けられ、前記押し板と前記推し板との間には圧縮撥条が固定的に取り付けられていることを特徴とする請求項1に記載の歯ブラシ消毒ケース。
【請求項３】
前記駆動装置は前記空チャンバの後側に位置した伝動チャンバを含み、前記伝動チャンバと前記移動チャンバとの間には連結溝が連通して設置され、前記推しブロックの後側端面には前記連結溝とスライドできるように連結された連動ブロックが固定的に取り付けられ、前記連動ブロックの後側端面にはネジ山ブロックが固定的に連結され、前記外殻の中にはモーターが固定的に取り付けられ、前記モーターの左側の出力軸にはネジ山ボルトが固定的に連結され、前記ネジ山ボルトが前記ネジ山ブロックとネジ山によって連結され、前記ネジ山ボルトと前記ネジ山ブロックとがネジ山によって連結されていることを特徴とする請求項1に記載の歯ブラシ消毒ケース。
【請求項４】
前記進出水機構には前記洗浄チャンバの底壁の中に設置され且つ前記外殻の底部端面を貫通した廃液管が含まれ、前記廃液管には第一電磁弁が設置され、前記ポンプが前記外殻の中に固定的に取り付けられ、前記ポンプの右側には吸水管が密閉的に連結され、前記吸水管が水源に連結され、前記ポンプの下側には出水管が密閉的に連結され、前記出水管が左に伸びてから上へ前記洗浄チャンバと連通した三本の送水管に分けられ、前記送水管には第二電磁弁が設置され、前記廃液箱が前記外殻の底部にスライドできるように取り付けられていることを特徴とする請求項１に記載の歯ブラシ消毒ケース。
【請求項５】
前記消毒消毒洗浄機構は前記洗浄チャンバの左側端面の中に固定的に取り付けられたガラスカバーを含み、前記紫外線灯が前記ガラスカバーの中に位置したチャンバの左壁の中に固定的に取り付けられ、超音波発生器が前記洗浄チャンバの右壁の中に固定的に取り付けられ、すべての前記洗浄チャンバの中には二つの前記超音波発生器が設置されていることを特徴とする請求項に記載の歯ブラシ消毒ケース。
【発明の詳細な説明】
【技術分野】
【０００１】
本発明は家庭用の電気器具の分野を取り上げて、具体的には歯ブラシ消毒ケースである。
【背景技術】
【０００２】
現代の人が益々生活の細かいところを重視しており、歯磨きは誰でも毎日することであり、歯磨きは有効的に虫歯を予防できて口腔の衛生を維持でき、ところがその大切な歯ブラシを多くの人が重視しておらず、歯を磨いた後歯ブラシをちゃんときれいに洗浄しないと、たくさんの細菌が繁殖し、同時にたくさんの不純物が歯ブラシの歯ブラシ頭の中に付着し、洗浄されにくく、現有の技術には家庭用の歯ブラシ消毒ケースがなく、市場ニーズを満足するため、家庭用の歯ブラシ消毒ケースが必要である。
【先行技術文献】
【特許文献】
【０００３】
【特許文献１】中国特許出願公開第１０８５７７１６６号明細書
【発明の概要】
【発明が解決しようとする課題】
【０００４】
本発明の目的は歯ブラシ消毒ケースを提供し、現有の技術の上記欠点を克服できる。
【課題を解決するための手段】
【０００５】
本発明の実施例における歯ブラシ消毒ケースは、外殻を含み、前記外殻の中には三つの等間隔の空チャンバが設置され、前記空チャンバの頂壁には上に開口した入り口が設置され、前記空チャンバの下方には洗浄チャンバが設置され、前記洗浄チャンバと前記空チャンバとの間には通路口が連通して設置され、前記洗浄チャンバの中には歯ブラシを洗浄消毒する消毒洗浄機構が設置され、前記外殻の中には前記洗浄チャンバの進水又は排水を制御する進出水機構が設置され、前記進出水機構はポンプ及び廃水を収集する廃液箱を含み、前記空チャンバの中には挟み装置が設置され、前記挟み装置は前記歯ブラシを挟める移動ブロックと、固定ブロックと、移動できる連結ブロックと、前記歯ブラシを上ヘ移動できる斜面台とを含み、前記挟み装置の後側には前記連結ブロックの移動を制御する駆動装置が設置されている。
【０００６】
更なる技術方案、前記挟み装置は前記空チャンバの左側に位置した移動チャンバを含み、前記連結ブロックが前記移動チャンバの上下壁の間にスライドできるように取り付けられ、前記斜面台が前記移動チャンバの右側の底壁に設置され、前記移動チャンバの上下壁の中には其々に位置制限溝が設置され、前記移動チャンバの上下壁の間には推しブロックがスライドできるように取り付けられ、前記推しブロックの上下端面には前記位置制限溝とスライドできるように連結された位置制限ブロックが設置され、前記推しブロックの右側端面には前記連結ブロックとスライドできるように連結されたＴ型ブロックが固定的に取り付けられ、前記移動ブロックが前記連結ブロックの左側端面に固定的に取り付けられ、前記空チャンバの右側には信号チャンバが設置され、前記信号チャンバの底壁の突起部分には連結ヘッドが設置され、前記信号チャンバの上下壁の間には推し板がスライドできるように取り付けられ、前記連結ヘッドの右側端面には前記推し板とスライドできるように連結されたＴ型スライダが設置され、前記固定ブロックが前記連結ヘッドの左側端面に固定的に取り付けられ、前記固定ブロックと前記移動ブロックとは大きさが一致した半環状体であり、前記移動ブロックと前記固定ブロックとの相対した面には其々にゴムブロックが固定的に取り付けられ、前記信号チャンバの右側壁の中には圧力計が固定的に取り付けられ、前記圧力計の左側端面には押し板が固定的に取り付けられ、前記押し板と前記推し板との間には圧縮撥条が固定的に取り付けられている。
【０００７】
更なる技術方案、前記駆動装置は前記空チャンバの後側に位置した伝動チャンバを含み、前記伝動チャンバと前記移動チャンバとの間には連結溝が連通して設置され、前記推しブロックの後側端面には前記連結溝とスライドできるように連結された連動ブロックが固定的に取り付けられ、前記連動ブロックの後側端面にはネジ山ブロックが固定的に連結され、前記外殻の中にはモーターが固定的に取り付けられ、前記モーターの左側の出力軸にはネジ山ボルトが固定的に連結され、前記ネジ山ボルトが前記ネジ山ブロックとネジ山によって連結され、前記ネジ山ボルトと前記ネジ山ブロックとがネジ山によって連結されている。
【０００８】
更なる技術方案、前記進出水機構には前記洗浄チャンバの底壁の中に設置され且つ前記外殻の底部端面を貫通した廃液管が含まれ、前記廃液管には第一電磁弁が設置され、前記ポンプが前記外殻の中に固定的に取り付けられ、前記ポンプの右側には吸水管が密閉的に連結され、前記吸水管が水源に連結され、前記ポンプの下側には出水管が密閉的に連結され、前記出水管が左に伸びてから上へ前記洗浄チャンバと連通した三本の送水管に分けられ、前記送水管には第二電磁弁が設置され、前記廃液箱が前記外殻の底部にスライドできるように取り付けられている。
【０００９】
更なる技術方案、前記消毒消毒洗浄機構は前記洗浄チャンバの左側端面の中に固定的に取り付けられたガラスカバーを含み、前記紫外線灯が前記ガラスカバーの中に位置したチャンバの左壁の中に固定的に取り付けられ、超音波発生器が前記洗浄チャンバの右壁の中に固定的に取り付けられ、すべての前記洗浄チャンバの中には二つの前記超音波発生器が設置されている。
【発明の効果】
【００１０】
本発明の有益な効果は下記の通りである：
【００１１】
本発明は構成が簡単で、操作が便利で、三つの歯ブラシを同時に洗浄でき、家庭使用ニーズを満足でき、まずは超音波の作用によって歯ブラシの不純物を水の中に振動させて排出し、その後紫外線を使って殺菌消毒し、歯ブラシの清潔を保証でき、圧力計が信号を発送でき、すべての洗浄チャンバの中の水の添加と排出と、殺菌消毒を制御し、資源を無駄使いさせなく、歯ブラシが挟まれた後少しの距離を上げられ、底部の不純物を歯ブラシに付着させなく、普及する価値がある。
【図面の簡単な説明】
【００１２】
【図１】図１は本発明の上面図
【図２】図２は図１のＡーＡの方向の断面構成模式図
【図３】図３は図２のＢ―Ｂの方向の断面構成模式図
【図４】図４は図２の中のＣの拡大模式図
【図５】図５は図２の中のＤの拡大模式図
【図６】図６は図３の中のＥの拡大模式図
【発明を実施するための形態】
【００１３】
以下は図１〜６について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１〜６を参考し、本発明の実施例における歯ブラシ消毒ケースは、外殻１０を含み、前記外殻１０の中には三つの等間隔の空チャンバ８０が設置され、前記空チャンバ８０の頂壁には上に開口した入り口１１が設置され、前記空チャンバ８０の下方には洗浄チャンバ１４が設置され、前記洗浄チャンバ１４と前記空チャンバ８０との間には通路口２８が連通して設置され、前記洗浄チャンバ１４の中には歯ブラシ９０を洗浄消毒する消毒洗浄機構９０４が設置され、前記外殻１０の中には前記洗浄チャンバ１４の進水又は排水を制御する進出水機構９０５が設置され、前記進出水機構９０５はポンプ２７及び廃水を収集する廃液箱２２を含み、前記空チャンバ８０の中には挟み装置９０１が設置され、前記挟み装置９０１は前記歯ブラシ９０を挟める移動ブロック４１と、固定ブロック４５と、移動できる連結ブロック４０と、前記歯ブラシ９０を上ヘ移動できる斜面台４４とを含み、前記挟み装置９０１の後側には前記連結ブロック４０の移動を制御する駆動装置９０２が設置されている。
【００１５】
有益又は例示的に、前記挟み装置９０１は前記空チャンバ８０の左側に位置した移動チャンバ３４を含み、前記連結ブロック４０が前記移動チャンバ３４の上下壁の間にスライドできるように取り付けられ、前記斜面台４４が前記移動チャンバ３４の右側の底壁に設置され、前記移動チャンバ３４の上下壁の中には其々に位置制限溝３７が設置され、前記移動チャンバ３４の上下壁の間には推しブロック３３がスライドできるように取り付けられ、前記推しブロック３３の上下端面には前記位置制限溝３７とスライドできるように連結された位置制限ブロック３６が設置され、前記推しブロック３３の右側端面には前記連結ブロック４０とスライドできるように連結されたＴ型ブロック３８が固定的に取り付けられ、前記移動ブロック４１が前記連結ブロック４０の左側端面に固定的に取り付けられ、前記空チャンバ８０の右側には信号チャンバ５４が設置され、前記信号チャンバ５４の底壁の突起部分には連結ヘッド４７が設置され、前記信号チャンバ５４の上下壁の間には推し板５３がスライドできるように取り付けられ、前記連結ヘッド４７の右側端面には前記推し板５３とスライドできるように連結されたＴ型スライダ５１が設置され、前記固定ブロック４５が前記連結ヘッド４７の左側端面に固定的に取り付けられ、前記固定ブロック４５と前記移動ブロック４１とは大きさが一致した半環状体であり、前記移動ブロック４１と前記固定ブロック４５との相対した面には其々にゴムブロック４２が固定的に取り付けられ、前記信号チャンバ５４の右側壁の中には圧力計５７が固定的に取り付けられ、前記圧力計５７の左側端面には押し板５６が固定的に取り付けられ、前記押し板５６と前記推し板５３との間には圧縮撥条５５が固定的に取り付けられ、
それにより歯ブラシ９０を入り口に通して空チャンバ８０の中に差し込み、洗浄チャンバ１４の中に入らせ、推しブロック３３が右へ移動する時、Ｔ型ブロック３８と連結ブロック４０を推して右へ移動し、移動ブロック４１と固定ブロック４５とがくっついた後、斜面台４４の作用によって連結ブロック４０が斜め上に移動し、固定ブロック４５と連結ヘッド４７とを上へ移動連動させ、同時に移動ブロック４１が移動する過程に両側のゴムブロック４２が歯ブラシ９０を挟み、同時に歯ブラシ９０を上へ移動連動させ、移動ブロック４１が右へ移動しながら推し板５３を推して右へ移動し、圧縮撥条５５の作用によって押し板５６を推して圧力計５７に圧力を与え、圧力計５７から信号が送信される。
【００１６】
有益又は例示的に、前記駆動装置９０２は前記空チャンバ８０の後側に位置した伝動チャンバ６０を含み、前記伝動チャンバ６０と前記移動チャンバ３４との間には連結溝３５が連通して設置され、前記推しブロック３３の後側端面には前記連結溝３５とスライドできるように連結された連動ブロック６１が固定的に取り付けられ、前記連動ブロック６１の後側端面にはネジ山ブロック５８が固定的に連結され、前記外殻１０の中にはモーター３１が固定的に取り付けられ、前記モーター３１の左側の出力軸にはネジ山ボルト３２が固定的に連結され、前記ネジ山ボルト３２が前記ネジ山ブロック５８とネジ山によって連結され、前記ネジ山ボルト３２と前記ネジ山ブロック５８とがネジ山によって連結され、
それによりモーター３２を始動した後ネジ山ボルト３２を回転連動させ、ネジ山ボルト３２がネジ山ブロック５８の移動を制御し、ネジ山ブロック５８が連動ブロック６１と推しブロック３３を移動連動させ、連結ブロック４０を同期的に移動連動させる。
【００１７】
有益又は例示的に、前記進出水機構９０３には前記洗浄チャンバ１０の底壁の中に設置され且つ前記外殻１０の底部端面を貫通した廃液管２３が含まれ、前記廃液管２３には第一電磁弁２５が設置され、前記ポンプ２７が前記外殻１０の中に固定的に取り付けられ、前記ポンプ２７の右側には吸水管３０が密閉的に連結され、前記吸水管３０が水源に連結され、前記ポンプ２７の下側には出水管１８が密閉的に連結され、前記出水管１８が左に伸びてから上へ前記洗浄チャンバ１４と連通した三本の送水管１５に分けられ、前記送水管１５には第二電磁弁２４が設置され、前記廃液箱２２が前記外殻１０の底部にスライドできるように取り付けられ、
それによりポンプ２７を始動して吸水管３０によって水を吸い込み、水を出水管１８の中に伝送し、異なる位置の圧力計５７が発送した信号によって三つの第二電磁弁２４のスイッチを制御し、左側の圧力計５７が信号を発送したら、左側の第二電磁弁２４を制御し、第二電磁弁２４が開いた後水が送水管１５から洗浄チャンバ１４の中に入り、洗浄に使われ、洗浄が終わった後洗浄操作を行った洗浄チャンバ１４の下方の第一電磁弁２５の開きを制御し、廃液管２３によって廃水を廃液箱２２の中に排出する。
【００１８】
有益又は例示的に、前記消毒消毒洗浄機構９０４は前記洗浄チャンバ１４の左側端面の中に固定的に取り付けられたガラスカバー１３を含み、前記紫外線灯１２が前記ガラスカバー１３の中に位置したチャンバの左壁の中に固定的に取り付けられ、超音波発生器１６が前記洗浄チャンバ１４の右壁の中に固定的に取り付けられ、すべての前記洗浄チャンバ１４の中には二つの前記超音波発生器１６が設置され、
それにより圧力計５７は信号を発送した後超音波発生器１６を制御始動して洗浄チャンバ１４の中の水を振動させ、早く歯ブラシ９０を洗浄でき、しばらく続けば、洗浄チャンバ１４の中の水を排出して引続き清水を加えてすすぎ、すすぎ終わった後、紫外線灯１２が始動して殺菌し始める。
【００１９】
使用する時、歯ブラシ９０を入り口１１に通して空チャンバ８０の中に差し込み、洗浄チャンバ１４の中に入らせ、モーター３１を始動してネジ山ボルト３２を回転連動させ、ネジ山ボルト３２がネジ山によってネジ山ブロック５８の移動を制御し、ネジ山ブロック５８が連動ブロック６１と推しブロック３３とを移動連動させ、連結ブロック４０を同期的に移動連動させ、移動ブロックと固定ブロック４５とがくっついた後、斜面台４４の作用によって連結ブロック４０が斜め上に移動し、固定ブロック４５と連結ヘッド４７とを上へ移動連動させ、同時に移動ブロック４１が移動する過程に両側のゴムブロック４２が歯ブラシ９０を挟み、歯ブラシ９０を同時に上へ移動連動させ、移動ブロック４１が右へ移動しながら推し板５３を推して右へ移動し、圧縮撥条５５の作用によって押し板５６を推して圧力計５７に圧力を与え、圧力計５７が信号を発送してポンプ２７の始動を制御して吸水管３０によって水を吸い上げ、水を出水管１８の中に送り、異なる位置の圧力計５７が発送した信号によって三つの第二電磁弁２４のスイッチを制御し、左側の圧力計５７が信号を発送したら、左側の第二電磁弁２４を制御し、第二電磁弁２４を開いた後水が送水管１５から洗浄チャンバ１４の中に入り、同時に、圧力計５７は信号を発送した後超音波発生器１６を制御始動して洗浄チャンバ１４の中の水を振動させ、早く歯ブラシ９０を洗浄でき、しばらく続けば、洗浄チャンバ１４の中の水を排出して引続き清水を加えてすすぎ、すすぎ終わった後、紫外線灯１２が始動して殺菌し始める。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179093.tif 000003
【図２】
2020179093.tif 000004
【図３】
2020179093.tif 000005
【図４】
2020179093.tif 000006
【図５】
2020179093.tif 000007
【図６】
2020179093.tif 000008
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
歯ブラシ消毒ケースであって、外殻を含み、前記外殻の中には三つの等間隔の空チャンバが設置され、前記空チャンバの頂壁には上に開口した入り口が設置され、前記空チャンバの下方には洗浄チャンバが設置され、前記洗浄チャンバと前記空チャンバとの間には通路口が連通して設置され、前記洗浄チャンバの中には歯ブラシを洗浄消毒する消毒洗浄機構が設置され、前記外殻の中には前記洗浄チャンバの進水又は排水を制御する進出水機構が設置され、前記進出水機構はポンプ及び廃水を収集する廃液箱を含み、前記空チャンバの中には挟み装置が設置され、前記挟み装置は前記歯ブラシを挟める移動ブロックと、固定ブロックと、移動できる連結ブロックと、前記歯ブラシを上ヘ移動できる斜面台とを含み、前記挟み装置の後側には前記連結ブロックの移動を制御する駆動装置が設置されており、
前記挟み装置は前記空チャンバの左側に位置した移動チャンバを含み、前記連結ブロックが前記移動チャンバの上下壁の間にスライドできるように取り付けられ、前記斜面台が前記移動チャンバの右側の底壁に設置され、前記移動チャンバの上下壁の中には其々に位置制限溝が設置され、前記移動チャンバの上下壁の間には推しブロックがスライドできるように取り付けられ、前記推しブロックの上下端面には前記位置制限溝とスライドできるように連結された位置制限ブロックが設置され、前記推しブロックの右側端面には前記連結ブロックとスライドできるように連結されたＴ型ブロックが固定的に取り付けられ、前記移動ブロックが前記連結ブロックの左側端面に固定的に取り付けられ、前記空チャンバの右側には信号チャンバが設置され、前記信号チャンバの底壁の突起部分には連結ヘッドが設置され、前記信号チャンバの上下壁の間には推し板がスライドできるように取り付けられ、前記連結ヘッドの右側端面には前記推し板とスライドできるように連結されたＴ型スライダが設置され、前記固定ブロックが前記連結ヘッドの左側端面に固定的に取り付けられ、前記固定ブロックと前記移動ブロックとは大きさが一致した半環状体であり、前記移動ブロックと前記固定ブロックとの相対した面には其々にゴムブロックが固定的に取り付けられ、前記信号チャンバの右側壁の中には圧力センサーが固定的に取り付けられ、前記圧力センサーの左側端面には押し板が固定的に取り付けられ、前記押し板と前記推し板との間には圧縮撥条が固定的に取り付けられており、
前記進出水機構には前記洗浄チャンバの底壁の中に設置され且つ前記外殻の底部端面を貫通した廃液管が含まれ、前記廃液管には第一電磁弁が設置され、前記ポンプが前記外殻の中に固定的に取り付けられ、前記ポンプの右側には吸水管が密閉的に連結され、前記吸水管が水源に連結され、前記ポンプの下側には出水管が密閉的に連結され、前記出水管が左に伸びてから上へ前記洗浄チャンバと連通した三本の送水管に分けられ、前記送水管には第二電磁弁が設置され、前記廃液箱が前記外殻の底部にスライドできるように取り付けられており、
前記消毒洗浄機構は前記洗浄チャンバの左側端面の中に固定的に取り付けられたガラスカバーを含み、紫外線灯が前記ガラスカバーの中に位置したチャンバの左壁の中に固定的に取り付けられ、超音波発生器が前記洗浄チャンバの右壁の中に固定的に取り付けられ、すべての前記洗浄チャンバの中には二つの前記超音波発生器が設置されていることを特徴とする歯ブラシ消毒ケース。
【請求項２】
前記駆動装置は前記空チャンバの後側に位置した伝動チャンバを含み、前記伝動チャンバと前記移動チャンバとの間には連結溝が連通して設置され、前記推しブロックの後側端面には前記連結溝とスライドできるように連結された連動ブロックが固定的に取り付けられ、前記連動ブロックの後側端面にはネジ山ブロックが固定的に連結され、前記外殻の中にはモーターが固定的に取り付けられ、前記モーターの左側の出力軸にはネジ山ボルトが固定的に連結され、前記ネジ山ボルトと前記ネジ山ブロックとがネジ山によって連結されていることを特徴とする請求項１に記載の歯ブラシ消毒ケース。
【手続補正２】
【補正対象書類名】明細書
【補正対象項目名】全文
【補正方法】変更
【補正の内容】
【発明の詳細な説明】
【技術分野】
【０００１】
本発明は家庭用の電気器具の分野を取り上げて、具体的には歯ブラシ消毒ケースである。
【背景技術】
【０００２】
現代の人が益々生活の細かいところを重視しており、歯磨きは誰でも毎日することであり、歯磨きは有効的に虫歯を予防できて口腔の衛生を維持でき、ところがその大切な歯ブラシを多くの人が重視しておらず、歯を磨いた後歯ブラシをちゃんときれいに洗浄しないと、たくさんの細菌が繁殖し、同時にたくさんの不純物が歯ブラシの歯ブラシ頭の中に付着し、洗浄されにくく、現有の技術には家庭用の歯ブラシ消毒ケースがなく、市場ニーズを満足するため、家庭用の歯ブラシ消毒ケースが必要である。
【先行技術文献】
【特許文献】
【０００３】
【特許文献１】中国特許出願公開第１０８５７７１６６号明細書
【発明の概要】
【発明が解決しようとする課題】
【０００４】
本発明の目的は歯ブラシ消毒ケースを提供し、現有の技術の上記欠点を克服できる。
【課題を解決するための手段】
【０００５】
本発明の実施例における歯ブラシ消毒ケースは、外殻を含み、前記外殻の中には三つの等間隔の空チャンバが設置され、前記空チャンバの頂壁には上に開口した入り口が設置され、前記空チャンバの下方には洗浄チャンバが設置され、前記洗浄チャンバと前記空チャンバとの間には通路口が連通して設置され、前記洗浄チャンバの中には歯ブラシを洗浄消毒する消毒洗浄機構が設置され、前記外殻の中には前記洗浄チャンバの進水又は排水を制御する進出水機構が設置され、前記進出水機構はポンプ及び廃水を収集する廃液箱を含み、前記空チャンバの中には挟み装置が設置され、前記挟み装置は前記歯ブラシを挟める移動ブロックと、固定ブロックと、移動できる連結ブロックと、前記歯ブラシを上ヘ移動できる斜面台とを含み、前記挟み装置の後側には前記連結ブロックの移動を制御する駆動装置が設置されている。
【０００６】
更なる技術方案、前記挟み装置は前記空チャンバの左側に位置した移動チャンバを含み、前記連結ブロックが前記移動チャンバの上下壁の間にスライドできるように取り付けられ、前記斜面台が前記移動チャンバの右側の底壁に設置され、前記移動チャンバの上下壁の中には其々に位置制限溝が設置され、前記移動チャンバの上下壁の間には推しブロックがスライドできるように取り付けられ、前記推しブロックの上下端面には前記位置制限溝とスライドできるように連結された位置制限ブロックが設置され、前記推しブロックの右側端面には前記連結ブロックとスライドできるように連結されたＴ型ブロックが固定的に取り付けられ、前記移動ブロックが前記連結ブロックの左側端面に固定的に取り付けられ、前記空チャンバの右側には信号チャンバが設置され、前記信号チャンバの底壁の突起部分には連結ヘッドが設置され、前記信号チャンバの上下壁の間には推し板がスライドできるように取り付けられ、前記連結ヘッドの右側端面には前記推し板とスライドできるように連結されたＴ型スライダが設置され、前記固定ブロックが前記連結ヘッドの左側端面に固定的に取り付けられ、前記固定ブロックと前記移動ブロックとは大きさが一致した半環状体であり、前記移動ブロックと前記固定ブロックとの相対した面には其々にゴムブロックが固定的に取り付けられ、前記信号チャンバの右側壁の中には圧力センサーが固定的に取り付けられ、前記圧力センサーの左側端面には押し板が固定的に取り付けられ、前記押し板と前記推し板との間には圧縮撥条が固定的に取り付けられている。
【０００７】
更なる技術方案、前記駆動装置は前記空チャンバの後側に位置した伝動チャンバを含み、前記伝動チャンバと前記移動チャンバとの間には連結溝が連通して設置され、前記推しブロックの後側端面には前記連結溝とスライドできるように連結された連動ブロックが固定的に取り付けられ、前記連動ブロックの後側端面にはネジ山ブロックが固定的に連結され、前記外殻の中にはモーターが固定的に取り付けられ、前記モーターの左側の出力軸にはネジ山ボルトが固定的に連結され、前記ネジ山ボルトと前記ネジ山ブロックとがネジ山によって連結されている。
【０００８】
更なる技術方案、前記進出水機構には前記洗浄チャンバの底壁の中に設置され且つ前記外殻の底部端面を貫通した廃液管が含まれ、前記廃液管には第一電磁弁が設置され、前記ポンプが前記外殻の中に固定的に取り付けられ、前記ポンプの右側には吸水管が密閉的に連結され、前記吸水管が水源に連結され、前記ポンプの下側には出水管が密閉的に連結され、前記出水管が左に伸びてから上へ前記洗浄チャンバと連通した三本の送水管に分けられ、前記送水管には第二電磁弁が設置され、前記廃液箱が前記外殻の底部にスライドできるように取り付けられている。
【０００９】
更なる技術方案、前記消毒洗浄機構は前記洗浄チャンバの左側端面の中に固定的に取り付けられたガラスカバーを含み、紫外線灯が前記ガラスカバーの中に位置したチャンバの左壁の中に固定的に取り付けられ、超音波発生器が前記洗浄チャンバの右壁の中に固定的に取り付けられ、すべての前記洗浄チャンバの中には二つの前記超音波発生器が設置されている。
【発明の効果】
【００１０】
本発明の有益な効果は下記の通りである：
【００１１】
本発明は構成が簡単で、操作が便利で、三つの歯ブラシを同時に洗浄でき、家庭使用ニーズを満足でき、まずは超音波の作用によって歯ブラシの不純物を水の中に振動させて排出し、その後紫外線を使って殺菌消毒し、歯ブラシの清潔を保証でき、圧力センサーが信号を発送でき、すべての洗浄チャンバの中の水の添加と排出と、殺菌消毒を制御し、資源を無駄使いさせなく、歯ブラシが挟まれた後少しの距離を上げられ、底部の不純物を歯ブラシに付着させなく、普及する価値がある。
【図面の簡単な説明】
【００１２】
【図１】図１は本発明の上面図
【図２】図２は図１のＡーＡの方向の断面構成模式図
【図３】図３は図２のＢ―Ｂの方向の断面構成模式図
【図４】図４は図２の中のＣの拡大模式図
【図５】図５は図２の中のＤの拡大模式図
【図６】図６は図３の中のＥの拡大模式図
【発明を実施するための形態】
【００１３】
以下は図１〜６について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１〜６を参考し、本発明の実施例における歯ブラシ消毒ケースは、外殻１０を含み、前記外殻１０の中には三つの等間隔の空チャンバ８０が設置され、前記空チャンバ８０の頂壁には上に開口した入り口１１が設置され、前記空チャンバ８０の下方には洗浄チャンバ１４が設置され、前記洗浄チャンバ１４と前記空チャンバ８０との間には通路口２８が連通して設置され、前記洗浄チャンバ１４の中には歯ブラシ９０を洗浄消毒する消毒洗浄機構９０４が設置され、前記外殻１０の中には前記洗浄チャンバ１４の進水又は排水を制御する進出水機構９０５が設置され、前記進出水機構９０５はポンプ２７及び廃水を収集する廃液箱２２を含み、前記空チャンバ８０の中には挟み装置９０１が設置され、前記挟み装置９０１は前記歯ブラシ９０を挟める移動ブロック４１と、固定ブロック４５と、移動できる連結ブロック４０と、前記歯ブラシ９０を上ヘ移動できる斜面台４４とを含み、前記挟み装置９０１の後側には前記連結ブロック４０の移動を制御する駆動装置９０２が設置されている。
【００１５】
有益又は例示的に、前記挟み装置９０１は前記空チャンバ８０の左側に位置した移動チャンバ３４を含み、前記連結ブロック４０が前記移動チャンバ３４の上下壁の間にスライドできるように取り付けられ、前記斜面台４４が前記移動チャンバ３４の右側の底壁に設置され、前記移動チャンバ３４の上下壁の中には其々に位置制限溝３７が設置され、前記移動チャンバ３４の上下壁の間には推しブロック３３がスライドできるように取り付けられ、前記推しブロック３３の上下端面には前記位置制限溝３７とスライドできるように連結された位置制限ブロック３６が設置され、前記推しブロック３３の右側端面には前記連結ブロック４０とスライドできるように連結されたＴ型ブロック３８が固定的に取り付けられ、前記移動ブロック４１が前記連結ブロック４０の左側端面に固定的に取り付けられ、前記空チャンバ８０の右側には信号チャンバ５４が設置され、前記信号チャンバ５４の底壁の突起部分には連結ヘッド４７が設置され、前記信号チャンバ５４の上下壁の間には推し板５３がスライドできるように取り付けられ、前記連結ヘッド４７の右側端面には前記推し板５３とスライドできるように連結されたＴ型スライダ５１が設置され、前記固定ブロック４５が前記連結ヘッド４７の左側端面に固定的に取り付けられ、前記固定ブロック４５と前記移動ブロック４１とは大きさが一致した半環状体であり、前記移動ブロック４１と前記固定ブロック４５との相対した面には其々にゴムブロック４２が固定的に取り付けられ、前記信号チャンバ５４の右側壁の中には圧力センサー５７が固定的に取り付けられ、前記圧力センサー５７の左側端面には押し板５６が固定的に取り付けられ、前記押し板５６と前記推し板５３との間には圧縮撥条５５が固定的に取り付けられ、
それにより歯ブラシ９０を入り口に通して空チャンバ８０の中に差し込み、洗浄チャンバ１４の中に入らせ、推しブロック３３が右へ移動する時、Ｔ型ブロック３８と連結ブロック４０を推して右へ移動し、移動ブロック４１と固定ブロック４５とがくっついた後、斜面台４４の作用によって連結ブロック４０が斜め上に移動し、固定ブロック４５と連結ヘッド４７とを上へ移動連動させ、同時に移動ブロック４１が移動する過程に両側のゴムブロック４２が歯ブラシ９０を挟み、同時に歯ブラシ９０を上へ移動連動させ、移動ブロック４１が右へ移動しながら推し板５３を推して右へ移動し、圧縮撥条５５の作用によって押し板５６を推して圧力センサー５７に圧力を与え、圧力センサー５７から信号が送信される。
【００１６】
有益又は例示的に、前記駆動装置９０２は前記空チャンバ８０の後側に位置した伝動チャンバ６０を含み、前記伝動チャンバ６０と前記移動チャンバ３４との間には連結溝３５が連通して設置され、前記推しブロック３３の後側端面には前記連結溝３５とスライドできるように連結された連動ブロック６１が固定的に取り付けられ、前記連動ブロック６１の後側端面にはネジ山ブロック５８が固定的に連結され、前記外殻１０の中にはモーター３１が固定的に取り付けられ、前記モーター３１の左側の出力軸にはネジ山ボルト３２が固定的に連結され、前記ネジ山ボルト３２と前記ネジ山ブロック５８とがネジ山によって連結され、それによりモーター３２を始動した後ネジ山ボルト３２を回転連動させ、ネジ山ボルト３２がネジ山ブロック５８の移動を制御し、ネジ山ブロック５８が連動ブロック６１と推しブロック３３を移動連動させ、連結ブロック４０を同期的に移動連動させる。
【００１７】
有益又は例示的に、前記進出水機構９０３には前記洗浄チャンバ１０の底壁の中に設置され且つ前記外殻１０の底部端面を貫通した廃液管２３が含まれ、前記廃液管２３には第一電磁弁２５が設置され、前記ポンプ２７が前記外殻１０の中に固定的に取り付けられ、前記ポンプ２７の右側には吸水管３０が密閉的に連結され、前記吸水管３０が水源に連結され、前記ポンプ２７の下側には出水管１８が密閉的に連結され、前記出水管１８が左に伸びてから上へ前記洗浄チャンバ１４と連通した三本の送水管１５に分けられ、前記送水管１５には第二電磁弁２４が設置され、前記廃液箱２２が前記外殻１０の底部にスライドできるように取り付けられ、
それによりポンプ２７を始動して吸水管３０によって水を吸い込み、水を出水管１８の中に伝送し、異なる位置の圧力センサー５７が発送した信号によって三つの第二電磁弁２４のスイッチを制御し、左側の圧力センサー５７が信号を発送したら、左側の第二電磁弁２４を制御し、第二電磁弁２４が開いた後水が送水管１５から洗浄チャンバ１４の中に入り、洗浄に使われ、洗浄が終わった後洗浄操作を行った洗浄チャンバ１４の下方の第一電磁弁２５の開きを制御し、廃液管２３によって廃水を廃液箱２２の中に排出する。
【００１８】
有益又は例示的に、前記消毒洗浄機構９０４は前記洗浄チャンバ１４の左側端面の中に固定的に取り付けられたガラスカバー１３を含み、紫外線灯１２が前記ガラスカバー１３の中に位置したチャンバの左壁の中に固定的に取り付けられ、超音波発生器１６が前記洗浄チャンバ１４の右壁の中に固定的に取り付けられ、すべての前記洗浄チャンバ１４の中には二つの前記超音波発生器１６が設置され、
それにより圧力センサー５７は信号を発送した後超音波発生器１６を制御始動して洗浄チャンバ１４の中の水を振動させ、早く歯ブラシ９０を洗浄でき、しばらく続けば、洗浄チャンバ１４の中の水を排出して引続き清水を加えてすすぎ、すすぎ終わった後、紫外線灯１２が始動して殺菌し始める。
【００１９】
使用する時、歯ブラシ９０を入り口１１に通して空チャンバ８０の中に差し込み、洗浄チャンバ１４の中に入らせ、モーター３１を始動してネジ山ボルト３２を回転連動させ、ネジ山ボルト３２がネジ山によってネジ山ブロック５８の移動を制御し、ネジ山ブロック５８が連動ブロック６１と推しブロック３３とを移動連動させ、連結ブロック４０を同期的に移動連動させ、移動ブロックと固定ブロック４５とがくっついた後、斜面台４４の作用によって連結ブロック４０が斜め上に移動し、固定ブロック４５と連結ヘッド４７とを上へ移動連動させ、同時に移動ブロック４１が移動する過程に両側のゴムブロック４２が歯ブラシ９０を挟み、歯ブラシ９０を同時に上へ移動連動させ、移動ブロック４１が右へ移動しながら推し板５３を推して右へ移動し、圧縮撥条５５の作用によって押し板５６を推して圧力センサー５７に圧力を与え、圧力センサー５７が信号を発送してポンプ２７の始動を制御して吸水管３０によって水を吸い上げ、水を出水管１８の中に送り、異なる位置の圧力センサー５７が発送した信号によって三つの第二電磁弁２４のスイッチを制御し、左側の圧力センサー５７が信号を発送したら、左側の第二電磁弁２４を制御し、第二電磁弁２４を開いた後水が送水管１５から洗浄チャンバ１４の中に入り、同時に、圧力センサー５７は信号を発送した後超音波発生器１６を制御始動して洗浄チャンバ１４の中の水を振動させ、早く歯ブラシ９０を洗浄でき、しばらく続けば、洗浄チャンバ１４の中の水を排出して引続き清水を加えてすすぎ、すすぎ終わった後、紫外線灯１２が始動して殺菌し始める。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
歯ブラシ消毒ケースであって、外殻を含み、前記外殻の中には三つの等間隔の空チャンバが設置され、前記空チャンバの頂壁には上に開口した入り口が設置され、前記空チャンバの下方には洗浄チャンバが設置され、前記洗浄チャンバと前記空チャンバとの間には通路口が連通して設置され、前記洗浄チャンバの中には歯ブラシを洗浄消毒する消毒洗浄機構が設置され、前記外殻の中には前記洗浄チャンバの進水又は排水を制御する進出水機構が設置され、前記進出水機構はポンプ及び廃水を収集する廃液箱を含み、前記空チャンバの中には挟み装置が設置され、前記挟み装置は前記歯ブラシを挟める移動ブロックと、固定ブロックと、移動できる連結ブロックと、前記歯ブラシを上ヘ移動できる斜面台とを含み、前記挟み装置の後側には前記連結ブロックの移動を制御する駆動装置が設置されており、
前記挟み装置は前記空チャンバの左側に位置した移動チャンバを含み、前記連結ブロックが前記移動チャンバの上下壁の間にスライドできるように取り付けられ、前記斜面台が前記移動チャンバの右側の底壁に設置され、前記移動チャンバの上下壁の中には其々に位置制限溝が設置され、前記移動チャンバの上下壁の間には推しブロックがスライドできるように取り付けられ、前記推しブロックの上下端面には前記位置制限溝とスライドできるように連結された位置制限ブロックが設置され、前記推しブロックの右側端面には前記連結ブロックとスライドできるように連結されたＴ型ブロックが固定的に取り付けられ、前記移動ブロックが前記連結ブロックの左側端面に固定的に取り付けられ、前記空チャンバの右側には信号チャンバが設置され、前記信号チャンバの底壁の突起部分には連結ヘッドが設置され、前記信号チャンバの上下壁の間には推し板がスライドできるように取り付けられ、前記連結ヘッドの右側端面には前記推し板とスライドできるように連結されたＴ型スライダが設置され、前記固定ブロックが前記連結ヘッドの左側端面に固定的に取り付けられ、前記固定ブロックと前記移動ブロックとは大きさが一致した半環状体であり、前記移動ブロックと前記固定ブロックとの相対した面には其々にゴムブロックが固定的に取り付けられ、前記信号チャンバの右側壁の中には圧力センサーが固定的に取り付けられ、前記圧力センサーの左側端面には押し板が固定的に取り付けられ、前記押し板と前記推し板との間には圧縮撥条が固定的に取り付けられており、
前記進出水機構には前記洗浄チャンバの底壁の中に設置され且つ前記外殻の底部端面を貫通した廃液管が含まれ、前記廃液管には第一電磁弁が設置され、前記ポンプが前記外殻の中に固定的に取り付けられ、前記ポンプの右側には吸水管が密閉的に連結され、前記吸水管が水源に連結され、前記ポンプの下側には出水管が密閉的に連結され、前記出水管が左に伸びてから上へ前記洗浄チャンバと連通した三本の送水管に分けられ、前記送水管には第二電磁弁が設置され、前記廃液箱が前記外殻の底部にスライドできるように取り付けられており、
前記消毒洗浄機構は前記洗浄チャンバの左側端面の中に固定的に取り付けられたガラスカバーを含み、紫外線灯が前記ガラスカバーの中に位置したチャンバの左壁の中に固定的に取り付けられ、超音波発生器が前記洗浄チャンバの右壁の中に固定的に取り付けられ、すべての前記洗浄チャンバの中には二つの前記超音波発生器が設置され、
前記駆動装置は前記空チャンバの後側に位置した伝動チャンバを含み、前記伝動チャンバと前記移動チャンバとの間には連結溝が連通して設置され、前記推しブロックの後側端面には前記連結溝とスライドできるように連結された連動ブロックが固定的に取り付けられ、前記連動ブロックの後側端面にはネジ山ブロックが固定的に連結され、前記外殻の中にはモーターが固定的に取り付けられ、前記モーターの左側の出力軸にはネジ山ボルトが固定的に連結され、前記ネジ山ボルトと前記ネジ山ブロックとがネジ山によって連結され、
使用する時、前記歯ブラシを前記入り口に通して前記空チャンバの中に差し込み、前記洗浄チャンバの中に入らせ、前記モーターを始動して前記ネジ山ボルトを回転連動させ、前記ネジ山ボルトがネジ山によって前記ネジ山ブロックの移動を制御し、前記ネジ山ブロックが前記連動ブロックと前記推しブロックとを移動連動させ、前記連結ブロックを同期的に移動連動させ、前記移動ブロックと前記固定ブロックとがくっついた後、前記斜面台の作用によって前記連結ブロックが斜め上に移動し、前記固定ブロックと前記連結ヘッドとを上へ移動連動させ、同時に前記移動ブロックが移動する過程に両側の前記ゴムブロックが前記歯ブラシを挟み、前記歯ブラシを同時に上へ移動連動させ、前記移動ブロックが右へ移動しながら前記推し板を推して右へ移動し、前記圧縮撥条の作用によって前記押し板を推して前記圧力センサーに圧力を与え、前記圧力センサーが信号を発送して前記ポンプの始動を制御して前記吸水管によって水を吸い上げ、水を前記出水管の中に送り、異なる位置の前記圧力センサーが発送した信号によって三つの前記第二電磁弁のスイッチを制御し、左側の前記圧力センサーが信号を発送したら、左側の前記第二電磁弁を制御し、前記第二電磁弁を開いた後水が前記送水管から前記洗浄チャンバの中に入り、同時に、前記圧力センサーは信号を発送した後前記超音波発生器を制御始動して前記洗浄チャンバの中の水を振動させ、早く前記歯ブラシを洗浄でき、しばらく続けば、前記洗浄チャンバの中の水を排出して引続き清水を加えてすすぎ、すすぎ終わった後、前記紫外線灯が始動して殺菌し始めることを特徴とする歯ブラシ消毒ケース。